(57)【特許請求の範囲】
【請求項１】
複数の収納区画を有する収納容器であって、
収納部の背面に、収納区画毎に通気孔が設けられ、
前記背面の更に背部に、前記背面側に開口した溝部が設けられた板状のダクトが取り付けられ、
前記溝部により、前記通気孔と連通する通気孔連通部、及び前記板状のダクトに設けられた換気口と前記通気孔連通部とを連通する通気路が形成されていることを特徴とする収納容器。
【請求項２】
通気路が、異なる通気孔連通部から等距離の位置で合流する合流部を有するように形成されていることを特徴とする請求項１記載の収納容器。
【請求項３】
通気路が、異なる合流部から換気口までの距離が等距離になるように形成されていることを特徴とする請求項２記載の収納容器。
【請求項４】
溝部が、異なる収納区画に設けられた通気孔と連通する通気孔連通部を有するように形成されていることを特徴とする請求項１〜３のいずれか記載の収納容器。
【請求項５】
複数の収納区画を有する収納容器の背面に取り付けるための板状のダクトであり、
前記収納容器に取り付ける面に、前記収納容器側に開口した溝部を有し、
前記収納容器に取り付ける面と反対の面又は側面に、吸引又は送風装置と接続するための開口部を有し、
前記溝部は、前記収納容器の背面に設けられた通気孔に連通する通気孔連通部位から、前記開口部まで連通するように形成されていることを特徴とする収納容器用板状ダクト。
【請求項６】
溝部が、異なる通気孔連通部位から等距離の位置で合流する合流部を有するように形成されていることを特徴とする請求項５記載の収納容器用板状ダクト。
【請求項７】
溝部が、異なる合流部から開口部までの距離が等距離になるように形成されていることを特徴とする請求項６記載の収納容器用板状ダクト。
【請求項８】
請求項１〜４記載の収納容器を換気する換気システムであり、
前記収納容器の換気口を吸引又は送風装置と接続することを特徴とする収納容器換気システム。
【請求項９】
複数の収納容器の換気口を集合チャンバーと配管で連結し、さらに前記集合チャンバーを吸引又は送風装置と配管で連結することを特徴とする請求項８記載の収納容器換気システム。
【発明の詳細な説明】
【技術分野】
【０００１】
本発明は、換気用の板状のダクトを備えた複数の収納区画を有する収納容器、複数の収納区画を有する収納容器の背面に取り付けるための収納容器用板状ダクト及び収納容器換気システムに関する。
【背景技術】
【０００２】
靴用ロッカー、衣装用ロッカー等では、その中に収納された靴や衣装等から臭気が発生したり、靴や衣装等に付着した汗や水分のためにカビが発生し、そこから臭気が発生したりすることが問題となっている。そこで、ロッカー内部を換気したり、除湿したりする方法が提案されている。例えば、クローゼットの奥側の壁面の内側に、奥側の壁面と間隔をおいて通気性を有するパネルを配設し、前記間隔内の空気を送風ファンで吸引することにより、クローゼット収納部内の空気を外部に排気するようにしたクローゼットや（特許文献１）、除湿器を備えた下足箱（特許文献２）等が提案されている。
【０００３】
しかし、ロッカーの収納部が複数に区画されている場合、各区画に対するファンの吸引力や送風力は、ファンからの距離により異なる。そのため、特許文献１や２に記載された方法では、各区画内の空気を均一に吸引することや、各区画内に空気を均一に送り込むことは難しく、各区画内を均一に換気することは難しかった。また、靴用ロッカー、衣装用ロッカー等のロッカーを据え付ける場所は、そのスペースが限られているので、スペースが必要となる通常の換気用ダクトをロッカーの周囲に取り付けることは困難であった。
【先行技術文献】
【特許文献】
【０００４】
【特許文献１】特開２００３−１５３７５０号公報
【特許文献２】特開２００５−２３０３２４号公報
【発明の概要】
【発明が解決しようとする課題】
【０００５】
本発明の課題は、上記問題を解決し、複数の収納区画を有する収納容器であって、簡易な構造で大きなスペースを必要とせずに各収納区画内を均一に換気できる収納容器、及び前記収納容器の換気システムを提供することにある。また、複数の収納区画を有する収納容器のために用いる、簡易な構造で、各収納区画内を均一に換気できる収納容器用ダクトを提供することにある。
【課題を解決するための手段】
【０００６】
本発明者は、靴用ロッカー、衣装用ロッカー等の収納部が複数の区画に分けられている収納容器において、区画された各収納部内を均一に換気するための検討を開始した。検討を進めたところ、板状体の一方の面に溝を形成し、溝が開口した側を前記収納容器の背面に押し付けて取り付けることにより、前記収納容器の背面と前記板状体の溝とで通気路を形成できることを見いだした。そして、前記収納容器の背面に通気孔を設け、前記板状体の側面又は他方の面に送風ファンと接続するための開口部を設けて、前記通気孔と前記開口部とを溝で連通させることにより、板状体を換気用のダクトとして使用できることを見いだした。この構造であれば、簡易な構造で、大きなスペースを必要とすることなく、各収納区画と換気口となる前記開口部とを連通させることができ、前記開口部に送風ファンを接続することにより各収納区画内を換気することができる。さらに、板状体の溝を各通気孔と特定の関係となるように形成することにより、より均一に各収納区画内を換気できることを見いだした。また、このような板状体は、収納容器の製造時に取り付けるだけでなく、既存のロッカーでも、各収納区画の背面に通気孔を設けた後、取り付けることができるので、収納容器用のダクトとして好適であることを見いだしたものである。
【０００７】
すなわち、本発明は以下の通りである。
（１）複数の収納区画を有する収納容器であって、収納部の背面に、収納区画毎に通気孔が設けられ、前記背面の更に背部に、前記背面側に開口した溝部が設けられた板状のダクトが取り付けられ、前記溝部により、前記通気孔と連通する通気孔連通部、及び前記板状のダクトに設けられた換気口と前記通気孔連通部とを連通する通気路が形成されていることを特徴とする収納容器。
（２）通気路が、異なる通気孔連通部から等距離の位置で合流する合流部を有するように形成されていることを特徴とする上記（１）記載の収納容器。
（３）通気路が、異なる合流部から換気口までの距離が等距離になるように形成されていることを特徴とする上記（２）記載の収納容器。
（４）溝部が、異なる収納区画に設けられた通気孔と連通する通気孔連通部を有するように形成されていることを特徴とする上記（１）〜（３）のいずれか記載の収納容器。
（５）複数の収納区画を有する収納容器の背面に取り付けるための板状のダクトであり、前記収納容器に取り付ける面に、前記収納容器側に開口した溝部を有し、前記収納容器に取り付ける面と反対の面又は側面に、吸引又は送風装置と接続するための開口部を有し、前記溝部は、前記収納容器の背面に設けられた通気孔に連通する通気孔連通部位から、前記開口部まで連通するように形成されていることを特徴とする収納容器用板状ダクト。
（６）溝部が、異なる通気孔連通部位から等距離の位置で合流する合流部を有するように形成されていることを特徴とする上記（５）記載の収納容器用板状ダクト。
（７）溝部が、異なる合流部から開口部までの距離が等距離になるように形成されていることを特徴とする上記（６）記載の収納容器用板状ダクト。
（８）上記（１）〜（４）記載の収納容器を換気する換気システムであり、前記収納容器の換気口を吸引又は送風装置と接続することを特徴とする収納容器換気システム。
（９）複数の収納容器の換気口を集合チャンバーと配管で連結し、さらに前記集合チャンバーを吸引又は送風装置と配管で連結することを特徴とする上記（８）記載の収納容器換気システム。
【発明の効果】
【０００８】
本発明の収納容器は、複数の収納区画を有するにもかかわらず、簡易な構造で大きなスペースを必要とせず、各収納区画内を効率よく均一に換気することができる。本発明の収納容器用板状ダクトは、複数の収納区画を有する収納容器に取り付けることにより、例えば既存の収納容器であっても、大きなスペースを必要とせずに各収納区画内を効率よく均一に換気できる収納容器とすることができる。本発明の収納容器換気システムは、複数の収納区画を有する収納容器内を効率よく均一に換気できる。
【図面の簡単な説明】
【０００９】
【図１】本発明の収納容器の正面図（図１−１）、側面図（図１−２）及び収納容器の収納部を背面からみた図（図１−３）である。
【図２】本発明の板状ダクトの正面図（図２−１）、断面図（図２−２）及び板状ダクトと収納部の通気孔の関係を示す図（図２−３）である。
【図３】本発明の他の実施形態における、板状ダクトの溝部と通気孔との関係を模式的に示す図である。
【図４】本発明の他の実施形態における、板状ダクトの溝部と通気孔との関係を模式的に示す図である。
【図５】本発明の他の実施形態における、板状ダクトの溝部と通気孔との関係を模式的に示す図である。
【図６】本発明の換気システムを模式的に示す図である。
【発明を実施するための形態】
【００１０】
本発明の収納容器は、複数の収納区画を有する収納容器であって、収納部の背面に、収納区画毎に通気孔が設けられ、前記背面の更に背部に、前記背面側に開口した溝部が設けられた板状のダクトが取り付けられ、前記溝部により、前記通気孔と連通する通気孔連通部、及び前記板状のダクトに設けられた換気口と前記通気孔連通部とを連通する通気路が形成されていることを特徴とする。本発明の複数の収納区画を有する収納容器は、収納部が複数に区画されている収納容器であれば特に制限されず、例えば、靴用ロッカー、衣装用ロッカー、コインロッカー、宅配ロッカー、調味料・食品等の収納庫等を挙げることができる。本発明の収納容器では、区画された各収納部の背面に通気孔が設けられている。前記通気孔の形状は特に制限されず、円状、四角状、スリット状等を例示することができる。前記通気孔の大きさは特に制限されず、収納物を収納するのに影響のない範囲で、収納区画内の容積や使用するファン等の条件に合わせて適宜選択することができる。また、各収納区画における前記通気孔の数や位置は特に制限されず、各収納区画に少なくとも一つの通気孔を設けることが好ましいが、必要とされる収納区画のみに通気孔を設けてもよい。本発明における板状のダクトは、板状体の一方の面に溝部が設けられており、その材質は特に制限されず、例えば、木製、樹脂製、発泡スチロール製、金属製等を挙げることができ、これらの材質を２種以上組み合わせてもよい。板状体の大きさは特に制限されず、取り付ける収納容器の大きさに合わせて適宜選択できる。板状体の厚み、及び溝部の深さや幅は特に制限されず、必要とする換気能力に応じて適宜選択することができるが、板状体の厚みは、収納容器の奥行きを長くしないとの観点から７〜３７ｍｍが好ましく、１２〜２７ｍｍがより好ましく、溝部の深さは、通気抵抗を高くしない観点から５〜３５ｍｍが好ましく、１０〜２５ｍｍがより好ましい。
【００１１】
本発明の収納容器では、上記板状のダクトが、通気孔が設けられた収納部の背面に、溝部の開口側が前記背面側を向くように取り付けられている。このため、収納部の背面と溝部とで通気路を形成することができ、前記溝部により、通気孔と連通する通気孔連通部と、板状のダクトに設けられた換気口と前記通気孔連通部とを連通する通気路が形成されている。前記通気孔連通部は、溝部が通気孔と連通している部分を指し、その部分での溝部の形状や大きさは特に制限されないが、溝部により形成される空間が通気孔の開口部全体を覆うように形成されていることが好ましい。前記換気口は、収納容器の外部に設置される吸引又は送風のための装置と接続するために、板状のダクトに設けられる開口部であり、その位置は特に制限されないが、板状ダクトの側面部分、又は溝が形成された面と反対の面に設けることができる。収納容器の上側や横側で吸引又は送風装置と接続することができ、狭いスペースでも接続が可能になることから、前記開口部（換気口）は板状ダクトの側面部分に設けられていることが好ましい。前記開口部の大きさや形状は特に制限されず、必要とする換気能力に応じて適宜選択することができる。本発明の収納容器は、収納区画に設けられた通気孔と、板状ダクトに設けられた換気口とが、通気路の役割をする溝部でつながり連通しているため、前記溝部を通じて、収納区画内の空気が換気される。各通気孔が、それぞれ別々の溝部で形成された通気路で換気口とつながっていてもよく、複数の通気孔が、一つの溝部で形成された通気路で換気口とつながっていてもよく、異なる通気孔と連通した異なる溝部が、換気口までの経路の途中で合流していてもよい。本発明の収納容器は、前記板状ダクトを取り付けることにより、簡易な構造で大きなスペースを必要とすることなく、各通気孔それぞれに対して換気口までの通気路を設けることができる。このため、通気孔から換気口までの距離、収納区画の大きさ等に応じて、通気孔毎に通気経路を形成できる。例えば、換気口までの距離が遠い通気孔へ通じる通気路は幅を広くし又は深さを深くし、換気口までの距離が近い通気孔へ通じる通気路は幅を狭くし又は深さを浅くする、換気口までの距離が近い通気孔と遠い通気孔との通気経路の距離を等しくするため、距離が近い通気孔からの通気路は迂回させる等を簡易な構造で行うことができるので、各収納区画に対する吸引力や送風力を均一にできる。
【００１２】
本発明の収納容器は、通気路が、異なる通気孔連通部から等距離の位置で合流する合流部を有するように形成されていることが好ましい。前記合流部は、異なる通気孔連通部とそれぞれ連通する異なる通気路が合流する部分をいう。本発明の収納容器では、前記合流部を異なる通気孔連通部から等距離の位置に設けることが好ましい。ここで、本発明における等距離の位置とは、通気経路の距離が等しいことを意味する。異なる通気孔連通部から等距離の位置に通気路の合流部を設け、前記合流部から換気口までを通気路でつなぐと、異なる通気孔連通部から換気口までの通気経路の距離が等しくなる。すなわち異なる収納区画の通気孔から換気口までの通気経路の距離が等しくなるため、換気口からの距離が異なる収納区画に対して、吸引力や送風力を均一にできる。本発明の収納容器では、合流部を設ける場合、合流部の数は特に制限されず、一つ又は二つ以上でもよい。前記合流部の大きさや形状は特に制限されないが、合流部につながる各通気路に均一に吸引力や送風力を与えるための緩衝領域となる程度の空間容積を有することが好ましい。本発明における等距離とは、通気経路の距離が完全に一致する場合のみだけではなく、吸引力や送風力に影響を与えない程度に実質的に等しい距離の場合を含む。また、本発明の収納容器は、合流部同士が更に合流する合流部を有していてもよい。
【００１３】
また、本発明の収納容器は、通気路が、異なる合流部から換気口までの距離が等距離になるように形成されていることが好ましい。本発明では、上記合流部が２つ以上ある場合、異なる合流部が、それぞれ等距離の通気経路で換気口につながっていると、各合流部につながっている各通気孔連通部から換気口までの通気経路の距離が等しくなるため、より多くの収納区画に対して、吸引力や送風力を均一にできる。ここで、それぞれ等距離で換気口に連通するとは、異なる合流部が、それぞれ異なる通気路で換気口まで等距離でつながっていてもよく、異なる合流部と連通する異なる通気路が換気口までの途中で合流して等距離でつながっていてもよい。合流部が３つ以上ある場合、少なくとも２つの合流部が換気口まで等距離でつながっていればよい。また、本発明の収納容器は、溝部が、異なる収納区画に設けられた通気孔と連通する通気孔連通部を有するように形成されていることが好ましい。一つの通気孔連通部が、異なる収納区画に設けられた通気孔と連通し、一つの通気孔連通部が複数の収納区画と連通することにより、通気路の数を減らすことができ、ダクト部の構造をより簡易にできる。この場合の通気孔連通部の大きさや形状は特に制限されないが、溝部により形成される空間が異なる複数の通気孔の開口部全体を覆うように形成されていることが好ましい。これにより、通気孔連通部の空間が、異なる通気孔に対して均一に吸引力や送風力を与えるための緩衝領域となり、各収納区画に対する吸引力や送風力をより均一にできる。
【００１４】
本発明を、本発明の一実施形態が記載された図１〜２により更に説明する。図１−１は本発明の収納容器を正面から見た図である。図１−１の収納容器１は、一つの収納容器が１０段４列に区画され４０の収納区画を有している。図１−２は、収納容器１を右側面から見た図である。収納部Ａの背面に板状ダクトＢが取り付けられている。図１−３は、板状ダクトＢを取り外した状態で、収納部Ａを背面から見た図である。収納部Ａの背面板には、各収納区画に通気孔１１が設けられている。図２−１は、図１−２の板状ダクトＢを溝部側から見た図であり、図２−２は、板状ダクトＢのＸ−Ｘ’断面を図２−１の右側から見た図である。また、図２−３は、板状ダクトＢを収納部Ａの背面に取り付けたときの溝部と通気孔１１との関係を示す図である。板状ダクトＢには、通気孔連通部２１−１〜２１−４、２２−１〜２２−４及び２３−１〜２３−２、合流部３１、３２及び３３、通気路４１、４２及び４３からなる溝部が設けられ、上部側面に換気口５０が設けられている。通気孔連通部２１−１〜２１−４、２２−１〜２２−４及び２３−１〜２３−２は、各通気孔１１と連通されており、各通気孔連通部は通気路により換気口５０と連通されている。すなわち、各通気孔１１と換気口５０は板状ダクトＢの溝部によりつながって連通し、通気孔１１を通して収納区画内の空気が換気できるようになっている。また、換気口５０の上には、図１−３に示すように、換気孔の広さを調節して風量を調節する風量調節機を備えてもよい。図３は、本発明の他の実施形態における、通気孔と板状ダクトの溝部との関係を模式的に示した図である。点線は収納区画の区切りを表す。通気孔１２は通気孔連通部２４−１と連通し、通気孔連通部２４−１は通気路４４−１により上部にある換気口（図示せず）と連通している。通気孔１３は通気孔連通部２４−２と連通し、通気孔連通部２４−２は通気路４４−２により上部にある換気口と連通している。また、通気孔１４は通気孔連通部２４−３と連通し、通気孔連通部２４−３は通気路４５−１により上部にある換気口と連結している。通気孔１５は通気孔連通部２４−４と連通し、通気孔連通部２４−４は通気路４５−２により上部にある換気口と連通している。通気路４４−１及び４４−２並びに４５−１及び４５−２の溝の幅や深さを変えることにより、また換気口までの経路を変えることにより、換気口までの距離の異なる収納区画に通気孔１２〜１５を通じて与える吸引力や送風力を均一にできる。
【００１５】
また、図２−１の板状ダクトでは、通気孔連通部２１−１〜２１−４のそれぞれから等しい距離に合流部３１が設けられ、通気孔連通部２２−１〜２２−４のそれぞれから等しい距離に合流部３２が設けられ、通気孔連通部２３−１〜２３−２のそれぞれから等しい距離に合流部３３が設けられている。そして、合流部３１は通気路４１により換気口５０と連通し、合流部３２は通気路４２により換気口５０と連通し、合流部３３は通気路４３により換気口５０と連通している。このため、通気孔連通部２１−１〜２１−４についてみると、各通気孔連通部から換気口５０までの通気経路の距離が等しくなるので、通気孔連通部２１−１〜２１−４を通じて各収納区画に与える吸引力や送風力を均一にできる。通気孔連通部２２−１〜２２−４及び通気孔連通部２３−１〜２３−２においても同様である。図４は、本発明の他の実施形態における、通気孔と板状ダクトの溝部との関係を模式的に示した図である。点線は収納区画の区切りを表す。通気孔１２は通気孔連通部２４−１と連通し、通気孔１３は通気孔連通部２４−２と連通し、通気孔１４は通気孔連通部２４−３と連通し、通気孔１５は通気孔連通部２４−４と連通している。そして、各通気孔連通部はそれぞれ通気路４６−１〜４６−４により合流部３４と連通している。合流部３４は、通気路４７により上部にある換気口（図示せず）と連通している。このため、通気孔連通部２４−１〜２４−４から換気口までの距離が等しくなるので、通気孔１２〜１５を通じて各収納区画に与える吸引力や送風力を均一にできる。
【００１６】
図２−１の板状ダクトでは、さらに通気路４１が、合流部３１から合流部３１の上方にある合流部３２に向かって形成され、通気路４２が、合流部３２から合流部３２の下方にある合流部３１に向かって形成され、両者の中間地点、すなわち両者から等距離にある地点で、通気路４１は、右側に折れて板状ダクトの右端に沿って換気口５０に至り、通気路４２は、左側に折れて板状ダクトの左端に沿って換気口５０に至るように、通気路４１及び４２が形成されている。そのため、合流部３１から換気口５０までの通気経路の距離と、合流部３２から換気口５０までの通気経路の距離が等しくなるので、各合流部に連通されている各通気孔連通部、すなわち通気孔連通部２１−１〜２１−４及び２２−１〜２２−４と換気口５０との間の通気経路の距離が等しくなる。このため、通気孔連通部２１−１〜２１−４及び２２−１〜２２−４を通じて各収納区画に与える吸引力や送風力を均一にできる。また、通気孔連通部２３−１〜２３−２では、合流部３３と換気口５０をつなぐ通気路４３の幅を、通気路４１及び４２と比べて狭くすることにより、吸引力及び送風力を通気路４１及び４２を介して換気口５０とつながった他の通気孔連通部と同程度にできる。
【００１７】
また、図２−１の板状ダクトＢでは、図２−３に示すように、一つの通気孔連通部により形成される空間が、収納部Ａの４つの異なる収納区画にそれぞれ一つずつ設けられた通気孔４つを覆うように形成され、一つの通気孔連通部が異なる４つの収納区画内と連通している。このため、通気孔連通部及び通気路の数を減らすことができ、板状ダクトＢはより簡易な構造となっている。また、通気孔連通部により形成される空間が、一種の緩衝領域となり、各収納区画に対する吸引力や送風力をより均一にできる。図２−３において、収納部Ａに設けられる通気孔は、図１−３に示すように、各収納区画の一つの隅近傍に設けられ、さらに４つの収納区画が接する隅近傍にそれぞれ設けられているので、通気孔連通部の空間を必要以上に大きくすることなく各通気孔と通気孔連通部を連通できる。
【００１８】
図３及び図４に示したのは、板状ダクトに設けられる溝部の一部であり、これらの構造を組み合わせて板状ダクトを形成することができる。さらに、本発明における通気孔と板状ダクトの溝部との関係を模式的に表した図を図５に示す。点線は収納区画の区切りを表す。図５には、収納容器が１〜４列に区画された場合のそれぞれについて、２〜１０段に区画された場合について、通気孔と板状ダクトの溝部との関係の例が記載されている。例えば、一列２段の場合、各収納区画に４つの通気孔が形成され、４つの通気孔を含むように通気孔連通部が形成されている。また、一列４段の場合、各収納区画に２つの通気孔を形成することにより、一列２段の場合と同じ形状の板状ダクトを使用することができる。二列２段と二列４段の場合、三列２段と三列４段と三列８段の場合、四列２段と四列４段と四列８段の場合も同様にそれぞれ同じ形状の板状ダクトを使用することができる。このように、通気孔連通部の位置と収納区画の通気孔の位置を調整することにより、異なる段数の収納容器であっても同じ形状の板状ダクトを使用できる。また、例えば、二列３段の場合、各通気孔連通部は３つの通気孔と連通しているが、各通気孔はそれぞれ異なる収納区画に設けられており、二つの通気孔連通部で計６つの収納区画と連通している。このように、収納区画に設ける通気孔の位置を調整することにより、数少ない通気孔連通部で多くの収納区画と連通させることができる。また、例えば、一列１０段の場合、合流部３５及び３６が形成され、さらにこれらの合流部３７が形成されている。このように、合流部の合流部を設けてもよい。
【００１９】
本発明の収納容器用板状ダクトは、複数の収納区画を有する収納容器の背面に取り付けるための板状のダクトであり、前記収納容器に取り付ける面に、前記収納容器側に開口した溝部を有し、前記収納容器に取り付ける面と反対の面又は側面に、吸引又は送風装置と接続するための開口部を有し、前記溝部は、前記収納容器の背面に設けられた通気孔に連通する通気孔連通部位から、前記開口部まで連通するように形成されていることを特徴とする。本発明の収納容器用板状ダクトは、板を筒状に組み合わせた従来のダクトではない。本発明の収納容器用板状ダクトは、板状体の一方の面に溝が形成されており、溝が開口した側を収納容器の背面に押し付けて取り付けることにより、前記溝部が通気路となる。本発明の収納容器用板状ダクトは、一方の面（収納容器に取り付ける面）に開口した溝部を有する板状体であれば、例えば、一枚の板を削ることにより一方の面に溝部が形成されている板状体でもよく、溝部をくり抜いた板を別の板に貼り合わせることにより一方の面に溝部が形成されている板状体でもよい。かかる板状ダクトを構成する材質は特に制限されず、例えば、木製、樹脂製、発泡スチロール製、金属製等を挙げることができ、これらの材質を２種以上組み合わせてもよい。例えば、アクリル板等の樹脂板の上に、溝部をくり抜いた発泡スチロール板を貼りつけてもよい。板状ダクトの大きさは特に制限されず、取り付ける収納容器の大きさに合わせて適宜選択できる。また、板状ダクトの厚み、及び溝部の深さは特に制限されず、必要とする換気能力に応じて適宜選択することができる。靴用ロッカー、衣装用ロッカー等の収納容器は、設置されるスペースが制限されるため、板状ダクト取り付け後の収納容器の奥行きを長くしないとの観点から、板状ダクトの厚みは、７〜３７ｍｍが好ましく、１２〜２７ｍｍがより好ましい。また、通気抵抗を高くしない観点から、溝部の深さは、５〜３５ｍｍが好ましく、１０〜２５ｍｍがより好ましい。本発明の収納容器用板状ダクトは、さらに収納容器に取り付ける面（すなわち溝部が形成された面）と反対の面又は側面に吸引装置又は送風装置と接続するための開口部を有する。前記反対の面又は側面であれば、前記開口部の位置は特に制限されないが、収納容器に取り付けた場合に、収納容器の上側や横側で吸引又は送風装置と接続することができ、狭いスペースでも接続が可能になることから、側面に設けられていることが好ましく、収納容器に取り付けた場合に上側となる側面に設けられていることがより好ましい。前記開口部の大きさは特に制限されず、必要とされる吸引又は送風能力に応じて適宜選択することができる。そして、本発明の収納容器用板状ダクトは、溝部が、収納容器の背面に設けられた通気孔に連通する通気孔連通部位から、前記開口部まで連通するように形成されている。本発明の収納容器用板状ダクトにおける通気孔連通部位は、取り付ける収納容器の通気孔の位置に合わせて決めることができる。本発明の収納容器用板状ダクトは、収納容器の新規製造時に収納部の背面に取り付けることもできるし、既存の収納容器の背面に通気孔を設けた後、収納容器の背面に取り付けることにより、換気構造のない既存の収納容器を換気構造を有する収納容器とするために使用することもできる。本発明の収納容器用板状ダクトの他の特徴、構造、溝部と通気孔の関係等は、本発明の収納容器における板状のダクトで述べたとおりであり、本発明の板状ダクトを用いて本発明の収納容器を製造することができる。また、靴用ロッカー、衣装用ロッカー等の収納容器は、全体の大きさ、及び収納区画の大きさが規格でほぼ決まっているため、本発明の収納容器用板状ダクトは、規格に合わせて板状ダクトの全体の大きさ、及び溝部の位置をあらかじめ決めることができ、板状ダクトとして販売、流通できる。
【００２０】
本発明の収納容器用板状ダクトは、溝部が、異なる通気孔連通部位から等距離の位置で合流する合流部を有するように形成されていることが好ましい。このような構造とすることにより、収納容器に取り付けたときに換気口となる開口部から異なる距離にある通気孔連通部に対して、開口部までの通気経路の距離を等しくすることができる。その結果、収納容器に取り付けたときに、換気口と異なる距離にある通気孔に対して、換気口までの通気経路の距離を等しくすることができ、収納容器の各収納区画に対する吸引力及び送風力を均一にすることができる。また、本発明の収納容器用板状ダクトは、溝部が、異なる合流部から開口部までの距離が等距離になるように形成されていることが好ましい。このような構造とすることにより、収納容器に取り付けたときに換気口となる開口部から異なる距離にある合流部に対して、開口部までの通気経路の長さを等しくすることができる。その結果、各合流部とつながっている各通気孔連通部から開口部までの通気経路の距離を等しくでき、収納容器の各収納区画に対する吸引力及び送風力をより均一にすることができる。
【００２１】
本発明の収納容器換気システムは、本発明の収納容器を換気する換気システムであり、前記収納容器の換気口を吸引又は送風装置と接続することを特徴とする。本発明の収納容器換気システムは、換気口と吸引又は送風装置との接続方法は特に制限されず、前記装置と換気口とを配管でつなぐ等の通常の方法で接続することができ、途中にチャンバーやバルブ等を設けてもよい。また、本発明の収納容器換気システムは、複数の収納容器の換気口を集合チャンバーと配管で連結し、さらに前記集合チャンバーを吸引又は送風装置と配管で連結してもよい。この場合の本発明の収納容器換気システムを表す模式図を図６に示す。本発明の収納容器換気システムでは、複数台の収納容器を一旦集合チャンバーに連結し、前記集合チャンバーから送風ファンと連結することにより、複数台の収納容器に対する吸引力及び送風力を均一にできる。本発明の収納容器換気システムでは、集合チャンバーを複数備えてもよい。例えば、複数の収納容器と連結された１段目の集合チャンバー、複数の一段目の集合チャンバーと連結された２段目の集合チャンバーというように連結していってもよい。ここで、集合チャンバーとは、連結部分が連結される配管の総断面積よりも大きな面積を有し、異なる配管に対して均一に吸引力や送風力を与えるための緩衝領域となる空間を備えた容器のことをいう。
【実施例１】
【００２２】
図１及び図２で示された収納容器を用いて、換気実験を行った。厚さ２ｍｍのアクリル板に、溝部をくり抜いた厚さ１５ｍｍの発泡スチロール板を貼りつけて、深さ１５ｍｍの溝を有する板状ダクトとした。通気孔の直径は全て同じ１５ｍｍとした。通気孔連通部と合流部を連通する通気路の幅（図２−１中のａ）は５０ｍｍ、通気路４１及び４２における図２−１中のｂ部分における幅は１２０ｍｍ、ｃ部分における幅は９０ｍｍとした。収納容器の換気口に直径７５ｍｍの排気ダクトをとりつけ、送風ファン（パナソニック株式会社製ＦＹ−１８ＤＺＧ４、最大排気性能３１０ｍ３／ｈ）で吸引した。試験時の設定風量は１８ｍ３／ｈとし、通気孔連通部（２１−１〜２１−４、２２−１〜２２−４及び２３−１〜２３−２）での風量を風速測定器（株式会社カスタム製ＷＳ−０１）を使用して測定した。その結果、いずれの通気孔連通部でも測定結果は０．６ｍ／秒であり、均一の吸引力が得られた。
【産業上の利用可能性】
【００２３】
本発明の収納容器は、複数の収納区画を有するにもかかわらず各収納区画を均一に換気できるので、靴用ロッカー、衣装用ロッカー、コインロッカー、宅配ロッカー、調味料・食品等の収納庫等の収納容器として好適に用いることができる。また、本発明の収納容器用板状ダクトは、本発明の収納容器を製造するために使用でき、換気構造を有さない既存の収納容器に簡易に換気構造を設けることができるので、靴用ロッカー、衣装用ロッカー、コインロッカー、宅配ロッカー、調味料・食品等の収納庫等の収納容器に用いるためのダクトとして好適である。
【符号の説明】
【００２４】
１  収納容器
Ａ  収納部
Ｂ  板状ダクト
１１  通気孔
１２  通気孔
１３  通気孔
１４  通気孔
１５  通気孔
２１−１  通気孔連通部
２１−２  通気孔連通部
２１−３  通気孔連通部
２１−４  通気孔連通部
２２−１  通気孔連通部
２２−２  通気孔連通部
２２−３  通気孔連通部
２２−４  通気孔連通部
２３−１  通気孔連通部
２３−２  通気孔連通部
２４−１  通気孔連通部
２４−２  通気孔連通部
２４−３  通気孔連通部
２４−４  通気孔連通部
３１  合流部
３２  合流部
３３  合流部
３４  合流部
３５  合流部
３６  合流部
３７  合流部
４１  通気路
４２  通気路
４３  通気路
４４−１  通気路
４４−２  通気路
４５−１  通気路
４５−２  通気路
４６−１  通気路
４６−２  通気路
４６−３  通気路
４６−４  通気路
４７  通気路
５０  換気口
【図１−１】
0006692091.tif 000002
【図１−２】
0006692091.tif 000003
【図１−３】
0006692091.tif 000004
【図２−１】
0006692091.tif 000005
【図２−２】
0006692091.tif 000006
【図２−３】
0006692091.tif 000007
【図３】
0006692091.tif 000008
【図４】
0006692091.tif 000009
【図５】
0006692091.tif 000010
【図６】
0006692091.tif 000011